(57)【要約】【課題】画像の登録を受け付け、所定領域にある携帯端末へ登録画像を配信し、特定のユーザの携帯端末が所定の対象物を撮影すると、登録画像をダウンロード可能にする。【解決手段】画像管理サーバ２は、撮影機器で撮影された撮影画像、撮影場所位置情報、及び前記撮影画像の識別情報を受信する受信部と、前記撮影画像、撮影場所位置情報及び前記識別情報を記憶する記憶部と、前記撮影場所位置情報に対応する所定領域内に位置する第１携帯端末へ前記撮影画像を送信する第１送信部と、第２携帯端末から識別情報が通知されると共に、前記第２携帯端末が所定の対象物を撮影した場合に、通知された識別情報に対応する撮影画像を前記記憶部から取り出し、前記第２携帯端末へ送信する第２送信部と、を備える。【選択図】図１
2019086905.tif 000002
【特許請求の範囲】
【請求項１】
撮影機器で撮影された撮影画像、撮影場所位置情報、及び前記撮影画像の識別情報を受信する受信部と、
前記撮影画像、撮影場所位置情報及び前記識別情報を記憶する記憶部と、
前記撮影場所位置情報に対応する所定領域内に位置する第１携帯端末へ前記撮影画像を送信する第１送信部と、
第２携帯端末から識別情報が通知されると共に、前記第２携帯端末が所定の対象物を撮影した場合に、通知された識別情報に対応する撮影画像を前記記憶部から取り出し、前記第２携帯端末へ送信する第２送信部と、
を備える画像管理サーバ。
【請求項２】
前記記憶部は参照画像を記憶し、
前記第２携帯端末から所定の対象物を撮影した画像を受信し、受信した画像と前記参照画像とを比較する比較部をさらに備え、
比較結果が一致した場合に、前記第２送信部は前記第２携帯端末へ前記撮影画像を送信することを特徴とする請求項１に記載の画像管理サーバ。
【請求項３】
前記第２携帯端末から、前記第２携帯端末が二次元コードを読み込んで取得した情報を受信し、受信した情報が正規の情報である場合、前記第２携帯端末へ前記撮影画像を送信することを特徴とする請求項１に記載の画像管理サーバ。
【請求項４】
前記撮影画像にテンプレート画像を合成した合成画像を前記第２携帯端末へ送信することを特徴とする請求項１乃至３のいずれかに記載の画像管理サーバ。
【請求項５】
前記第１送信部は、前記第１携帯端末へ前記撮影画像の閲覧画面を送信することを特徴とする請求項１乃至４のいずれかに記載の画像管理サーバ。
【請求項６】
請求項１乃至５のいずれかに記載の画像管理サーバと、
前記撮影機器から前記撮影画像を取得し、前記撮影画像に対する識別情報を生成し、前記撮影画像、前記撮影場所位置情報、及び前記識別情報を前記画像管理サーバへ送信する画像登録端末と、
を備える画像管理システム。
【請求項７】
撮影機器で撮影された撮影画像、撮影場所位置情報、及び前記撮影画像の識別情報を受信し、記憶部に格納する工程と、
前記撮影場所位置情報に対応する所定領域内に位置する第１携帯端末へ前記撮影画像を送信する工程と、
第２携帯端末から識別情報の通知を受け取ると共に、前記第２携帯端末が所定の対象物を撮影した場合に、通知された識別情報に対応する撮影画像を前記記憶部から取り出し、前記第２携帯端末へ送信する工程と、
画像管理サーバが実行することを特徴とする画像管理方法。
【発明の詳細な説明】
【技術分野】
【０００１】
本発明は、画像管理サーバ、画像管理システム及び画像管理方法に関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して正規ユーザであることが認証されれば、画像登録や画像閲覧を自由に行うことができた。
【０００３】
サーバへの画像登録やサーバによる画像配信を利用した新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、画像の登録を受け付け、所定領域にある携帯端末へ登録画像を配信し、特定のユーザの携帯端末が所定の対象物を撮影すると、登録画像をダウンロード可能にする画像管理サーバ、画像管理システム及び画像管理方法を提供することを目的とする。
【課題を解決するための手段】
【０００６】
本発明の画像管理サーバは、撮影機器で撮影された撮影画像、撮影場所位置情報、及び前記撮影画像の識別情報を受信する受信部と、前記撮影画像、撮影場所位置情報及び前記識別情報を記憶する記憶部と、前記撮影場所位置情報に対応する所定領域内に位置する第１携帯端末へ前記撮影画像を送信する第１送信部と、第２携帯端末から識別情報が通知されると共に、前記第２携帯端末が所定の対象物を撮影した場合に、通知された識別情報に対応する撮影画像を前記記憶部から取り出し、前記第２携帯端末へ送信する第２送信部と、を備えるものである。
【０００７】
本発明の一態様では、前記記憶部は参照画像を記憶し、前記第２携帯端末から所定の対象物を撮影した画像を受信し、受信した画像と前記参照画像とを比較する比較部をさらに備え、比較結果が一致した場合に、前記第２送信部は前記第２携帯端末へ前記撮影画像を送信する。
【０００８】
本発明の一態様では、前記第２携帯端末から、前記第２携帯端末が二次元コードを読み込んで取得した情報を受信し、受信した情報が正規の情報である場合、前記第２携帯端末へ前記撮影画像を送信する。
【０００９】
本発明の一態様では、前記撮影画像にテンプレート画像を合成した合成画像を前記第２携帯端末へ送信する。
【００１０】
本発明の一態様では、前記第１送信部は、前記第１携帯端末へ前記撮影画像の閲覧画面を送信する。
【００１１】
本発明の画像管理システムは、本発明の画像管理サーバと、前記撮影機器から前記撮影画像を取得し、前記撮影画像に対する識別情報を生成し、前記撮影画像、前記撮影場所位置情報、及び前記識別情報を前記画像管理サーバへ送信する画像登録端末と、を備えるものである。
【００１２】
本発明の画像管理方法は、撮影機器で撮影された撮影画像、撮影場所位置情報、及び前記撮影画像の識別情報を受信し、記憶部に格納する工程と、前記撮影場所位置情報に対応する所定領域内に位置する第１携帯端末へ前記撮影画像を送信する工程と、第２携帯端末から識別情報の通知を受け取ると共に、前記第２携帯端末が所定の対象物を撮影した場合に、通知された識別情報に対応する撮影画像を前記記憶部から取り出し、前記第２携帯端末へ送信する工程と、画像管理サーバが実行するものである。
【発明の効果】
【００１３】
本発明によれば、画像の登録を受け付け、所定領域にある携帯端末へ登録画像を配信し、特定のユーザの携帯端末が所定の対象物を撮影すると、登録画像をダウンロード可能にすることができる。
【図面の簡単な説明】
【００１４】
【図１】本発明の実施形態に係る画像管理システムの概略図である。
【図２】画像閲覧時の状況を示す図である。
【図３】画像閲覧画面の例を示す図である。
【図４】対象物品の撮影の例を示す図である。
【図５】画像ダウンロード画面の例を示す図である。
【図６】携帯端末のハードウェア構成図である。
【図７】携帯端末の機能構成を示すブロック図である。
【図８】画像管理サーバのハードウェア構成図である。
【図９】画像管理サーバの機能構成を示すブロック図である。
【図１０】同実施形態に係る画像登録方法を説明するフローチャートである。
【図１１】同実施形態に係る画像閲覧方法を説明するフローチャートである。
【図１２】同実施形態に係る画像取得方法を説明するフローチャートである。
【発明を実施するための形態】
【００１５】
図１及び図２は本発明の実施の形態に係る画像管理システムの概略図である。画像管理システムは、携帯端末１、画像管理サーバ２、撮影機器３、画像登録端末４及びプリンタ５を備える。携帯端末１は、例えばスマートフォンやタブレット端末等である。撮影機器３は例えばデジタルカメラである。画像登録端末４は例えばコンピュータである。撮影機器３と画像登録端末４とは有線又は無線ネットワークを介して通信可能に接続されており、撮影機器３による撮影画像が画像登録端末４へ転送されるようになっている。
【００１６】
画像登録端末４は、撮影機器３で撮影された画像に対し、固有の識別情報を付与し、撮影画像、識別情報、及び撮影場所の位置情報を画像管理サーバ２に登録する。撮影機器３による撮影画像がＥｘｉｆ（登録商標）（Exchangeable  Image  File  Format）に準拠した形式の場合、画像ファイルに含まれるＧＰＳ情報を、撮影場所の位置情報として用いることができる。Ｅｘｉｆに準拠していない場合は、画像登録端末４が、位置情報を別途付加する。
【００１７】
画像管理サーバ２は、撮影画像、識別情報及び撮影場所位置情報を対応付けて記憶する。プリンタ５は、撮影画像及び識別情報を用紙に印刷した引換票６を出力する。
【００１８】
携帯端末１を所持したユーザが、画像の撮影が行われた場所へ行くと、画像管理サーバ２から、その場所で撮影された画像が配信され、閲覧できるようになる。
【００１９】
引換票６を所有するユーザは、携帯端末１で専用サイトにアクセスするか、又は携帯端末１にインストールされているアプリケーションプログラムを起動し、引換票６に印刷されている識別情報を入力する。入力された識別情報は画像管理サーバ２に通知される。
【００２０】
識別情報の入力後、携帯端末１で所定の物品を撮影し、撮影画像を画像管理サーバ２に送信すると、画像管理サーバ２は、受信した画像と、参照画像（見本画像）とを比較する。画像が一致した場合、画像管理サーバ２は、記憶している画像の中から、通知された識別情報に対応する画像を選択し、携帯端末１へ送信する。携帯端末１は、画像管理サーバ２から画像を取得することができる。
【００２１】
画像管理システムを飲料の試飲キャンペーンに適用する例について説明する。駅前広場等で試飲キャンペーンを開催し、試飲品を配布する。キャンペーン主催者は、撮影機器３、画像登録端末４及びプリンタ５を準備し、スタッフが撮影機器３を用いて、キャンペーン会場を訪れた顧客を撮影する。
【００２２】
画像登録端末４は、撮影機器３から撮影画像を取得すると、この撮影画像に対し、識別情報を付与する。画像登録端末４は、撮影画像及び識別情報を含むプリント用画像を生成し、プリンタ５へ転送する。
【００２３】
プリンタ５は、画像登録端末４から受信したプリント用画像を用紙にプリントして、引換票６を作製する。引換票６は、後述する画像データのダウンロードに必要なものであり、顧客に渡される。
【００２４】
画像登録端末４は、インターネット等のネットワークを介して、撮影画像、識別情報及び撮影場所位置情報を画像管理サーバ２へ送信する。
【００２５】
画像管理サーバ２は、キャンペーン会場で撮影された複数の画像を、識別情報及び撮影場所位置情報と共に保存する。
【００２６】
図２に示すように、キャンペーン終了後、携帯端末１を所有するユーザが、キャンペーンが行われていた場所を訪れると、携帯端末１には、この場所で撮影された画像、すなわち試飲キャンペーンで撮影された画像が画像管理サーバ２から配信される。例えば、携帯端末１に、図３に示すような閲覧画面が表示される。これにより、ユーザは、この場所で試飲キャンペーンが行われていたことを知ることができる。この閲覧画面は、画像の閲覧のみ行うことができ、画像データのダウンロードは許可されていない。携帯端末１の場所の特定には、例えばＧＰＳ（Global  Positioning  System）情報が用いられる。
【００２７】
携帯端末１を所有するユーザが、試飲キャンペーンで撮影を行った顧客である場合、自分が写った画像データについては、任意の場所でダウンロードを行うことができる。ユーザは、携帯端末１で専用サイトにアクセスするか、又は携帯端末１にインストールされているアプリケーションプログラムを起動し、引換票６に印刷されている識別情報を入力する。携帯端末１は識別情報を画像管理サーバ２に通知する。
【００２８】
画像データのダウンロードには、さらに対象物品のパッケージの撮影が条件となっている。図４に示すように、ユーザは、試飲キャンペーンで飲んだ対象物品Ｍを購入し、携帯端末１で撮影する。携帯端末１は、撮影画像を画像管理サーバ２へ送信する。画像管理サーバ２は、携帯端末１から受信した画像と、予め登録されている参照画像とを比較する。
【００２９】
画像が一致した場合、画像管理サーバ２は、図５に示すように、通知された識別情報に対応する画像のダウンロード画面を携帯端末１へ送信する。ダウンロード画面のダウンロードボタンＢ１を押すことで、携帯端末１は、画像Ｇのデータを画像管理サーバ２から取得する。画像Ｇは、キャンペーン会場で撮影した画像に、特別なスタンプやフレーム等のテンプレート画像を合成したものでもよい。携帯端末１が取得した画像データは、編集等を自由に行うことができ、例えばＳＮＳへのアップロード等が可能である。
【００３０】
このように、本実施形態によれば、試飲キャンペーンに参加していないユーザは、キャンペーンが行われていた場所へ行くことで、キャンペーン中に撮影された画像を閲覧することができる。キャンペーン終了後にキャンペーン会場となった場所を訪れたユーザに対し、商品の宣伝を行うことができる。
【００３１】
試飲キャンペーンに参加したユーザは、キャンペーンが行われていた場所へ行かなくても、対象物品（例えばキャンペーンで試飲した商品）を購入し、撮影することで、キャンペーンで撮影した画像を入手することができる。例えば、旅行先でキャンペーンに参加した場合、画像閲覧のためにキャンペーン会場へ再度行くことは困難であるが、対象物品を通じて画像を入手できるため、商品の認知度・愛着を高めることができる。
【００３２】
次に、画像管理システムの各部の構成について説明する。
【００３３】
図６は携帯端末１のハードウェア構成例を示す。携帯端末１は、ＣＰＵ１０（演算制御部）、記憶部１１、操作表示部１２、撮影部１３、ＧＰＳ受信部１４、及び通信部１５を有する。
【００３４】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、画像閲覧・取得プログラムを記憶する。画像閲覧・取得プログラムは、例えばインターネット上のウェブサイトからダウンロードして、携帯端末１に予めインストールされている。
【００３５】
操作表示部１２は、各種情報を表示すると共に、ユーザからの操作を受け付ける。例えば、操作表示部１２はタッチパネルである。
【００３６】
撮影部１３は、携帯端末１に内蔵されているデジタルカメラであり、ＣＣＤ（Charged  coupled  devices）センサや、ＣＭＯＳ（Complementary  metal-oxide-semiconductor）センサを用いたものである。
【００３７】
ＧＰＳ受信部１４は、ＧＰＳ衛星から発せられる電波を受信し、ＧＰＳ情報に基づいて、携帯端末１が存在する現在地の位置情報（緯度及び経度）を取得する。
【００３８】
通信部１５は、インターネット等を介して、画像管理サーバ２と通信を行い、画像データの送受信を行う。
【００３９】
ＣＰＵ１０が画像閲覧・取得プログラムを実行することで、図７に示すように、位置情報送信部１０１、閲覧画面取得部１０２、識別情報入力部１０３、撮影処理部１０４、画像送信部１０５及び画像取得部１０６が実現される。各部の処理については後述する。
【００４０】
図８は、画像管理サーバ２の概略構成を示す。画像管理サーバ２は、ＣＰＵ２０（演算制御部）、記憶部２１、及び通信部２２を有するコンピュータである。記憶部２１は、フラッシュメモリ、ＲＯＭ、ＲＡＭ、ハードディスク等の組み合わせであり、画像管理プログラムを記憶する。
【００４１】
ＣＰＵ２０が画像管理プログラムを実行することで、図９に示すように、画像受信部２０１、判定部２０２、画像送信部２０３、選択部２０４及び画像比較部２０５が実現される。各部の処理については後述する。また、記憶部２１に画像記憶領域２１１及び参照画像記憶領域２１２が生成される。
【００４２】
画像記憶領域２１１には、画像登録端末４から受信した画像データ、識別情報、及び撮影場所位置情報が対応付けて格納される。参照画像記憶領域２１２には、画像データをダウンロードするために撮影する対象物品の参照画像が格納される。角度を変えて対象物品を撮影した複数の参照画像が格納されていてもよい。
【００４３】
次に、図１０に示すフローチャートを用いて、画像登録方法を説明する。
【００４４】
キャンペーン会場でスタッフが顧客を撮影機器３で撮影する（ステップＳ１１）。撮影機器３は、撮影画像を画像登録端末４へ転送する。画像登録端末４は、撮影画像に対して、固有の識別情報を生成して割り当てる（ステップＳ１２）。識別情報は、例えば、８桁以上のアルファベットや英数字からなる文字列である。
【００４５】
画像登録端末４が、撮影画像及び識別情報を含むプリント用画像を生成し、プリンタ５へ転送する。プリンタ５は、プリント用画像を用紙に印刷して、引換票６を出力する（ステップＳ１３）。顧客は、スタッフから、撮影画像及び識別情報がプリントされた引換票６を受け取る。
【００４６】
画像登録端末４は、撮影画像、識別情報、及び撮影場所位置情報を画像管理サーバ２へ送信する（ステップＳ１４）。撮影場所位置情報は、撮影機器３が生成した画像ファイルに含まれるＧＰＳ情報でもよいし、画像登録端末４が付加してもよい。画像管理サーバ２の画像受信部２０１は、画像登録端末４から受信した撮影画像、識別情報、及び撮影場所位置情報を画像記憶領域２１１に格納する。
【００４７】
これにより、キャンペーン会場で撮影した画像を画像管理サーバ２に登録すると共に、撮影画像のダウンロードに必要な引換票６を顧客に提供することができる。
【００４８】
続いて、図１１に示すフローチャートを用いて、画像閲覧方法を説明する。
【００４９】
携帯端末１（第１携帯端末）の位置情報送信部１０１が、ＧＰＳ受信部１４が取得した現在位置情報を画像管理サーバ２へ送信する（ステップＳ２１）。
【００５０】
画像管理サーバ２の判定部２０２は、携帯端末１から受信した現在位置情報と、画像記憶領域２１１内の撮影場所位置情報とを比較し、携帯端末１の現在位置が、撮影場所（キャンペーン会場）に対応する所定領域内であるか否かを判定する（ステップＳ２２）。
【００５１】
携帯端末１が所定領域内である場合（ステップＳ２２＿Ｙｅｓ）、すなわちユーザがキャンペーンが行われていた場所にいる場合、画像管理サーバ２の画像送信部２０３（第１送信部）は、この場所で撮影された画像を画像記憶領域２１１から取り出し、携帯端末１へ閲覧画面を送信する（ステップＳ２３）。
【００５２】
携帯端末１の閲覧画面取得部１０２が閲覧画面を取得し、操作表示部１２に表示する（ステップＳ２４）。図３に示すような閲覧画面が表示され、ユーザは、現在いる場所でキャンペーン期間中に撮影された画像を閲覧することができる。
【００５３】
次に、図１２に示すフローチャートを用いて、画像取得方法を説明する。
【００５４】
試飲キャンペーンで撮影を行い、引換票６を受け取ったユーザは、携帯端末１（第２携帯端末）を使用して専用サイトにアクセスするか、又はインストールされているアプリケーションプログラムを起動し、引換票６に印刷されている識別情報を入力する（ステップＳ３１）。識別情報入力部１０３は、入力された識別情報を、通信部１５を介して画像管理サーバ２に通知する。
【００５５】
撮影処理部１０４が携帯端末１の撮影部１３を起動する。図４に示すように、携帯端末１の撮影部１３で、購入した対象物品Ｍを撮影する（ステップＳ３２）。画像送信部１０５が、対象物品Ｍを撮影した画像を画像管理サーバ２へ送信する。
【００５６】
画像管理サーバ２の画像比較部２０５が、携帯端末１から受信した画像と、参照画像記憶領域２１２に格納されている参照画像とを比較する（ステップＳ３３）。画像が一致した場合（ステップＳ３４＿Ｙｅｓ）、選択部２０４が、画像記憶領域２１１から、ステップＳ３１で通知された識別情報に対応する画像を選択して取り出し、画像データダウンロード画面を作成して、携帯端末１へ送信する。
【００５７】
携帯端末１には、図５に示すようなダウンロード画面が表示される。ユーザがダウンロードボタンＢ１を押すと、画像送信部２０３（第２送信部）が画像データを携帯端末１へ送信する。携帯端末１の画像取得部１０６は、画像管理サーバ２から取得した画像データを記憶部１１に格納する（ステップＳ３５）。
【００５８】
このように、本実施形態によれば、所定領域（例えばキャンペーン会場）で撮影した画像を、後日、同じ場所を訪れたユーザの携帯端末１へ配信し、閲覧できるようにすることができる。また、撮影された本人は、所定領域を再訪しなくても、携帯端末１に自分が写った画像を特定する識別情報を入力した上で、対象物品を撮影部１３で撮影することで、自分の画像を閲覧し、画像データをダウンロードすることができる。
【００５９】
携帯端末１へ画像を配信する期間を制限してもよい。例えば、キャンペーン終了後１ヶ月以内に限り、キャンペーン会場であった場所をユーザが訪れると、キャンペーン中に撮影された画像が携帯端末１に配信される。
【００６０】
上記実施形態では、画像データのダウンロードにあたり、物品のパッケージを撮影していたが、携帯端末１の撮影部１３を用いて、パッケージ内の二次元コードを読み取り、取得した情報を画像管理サーバ２へ送信してもよい。画像管理サーバ２は、携帯端末１から受信した情報が正規の情報であるか否か判定し、正規の情報である場合、登録画像をダウンロード可能とする。
【００６１】
上記実施形態では、顧客の撮影や画像管理サーバ２への画像アップロードには、キャンペーン主催者が用意した撮影機器３及び画像登録端末４を用いていたが、顧客自身の携帯端末１を用いてもよい。
【００６２】
顧客の携帯端末１を使用する場合、携帯端末１が撮影画像と共に画像管理サーバ２へ送信する識別情報は、アプリＩＤやメールアドレス等であってもよい。
【００６３】
撮影場所位置情報や携帯端末１の現在位置情報はＧＰＳ情報に限定されず、例えば、無線ＬＡＮのアクセスポイントからの発信信号に含まれるアクセスポイント識別子（例えばＳＳＩＤ：Service  Set  Identifier）を位置情報として用いてもよい。
【００６４】
画像管理サーバ２は、複数のサーバ装置で構成されていてもよい。
【００６５】
上記説明は本発明の一例であり、本発明は上記以外の形態とされてもよい。
【符号の説明】
【００６６】
１  携帯端末
２  画像管理サーバ
３  撮影機器
４  画像登録端末
５  プリンタ
６  引換票
【図１】
2019086905.tif 000003
【図２】
2019086905.tif 000004
【図３】
2019086905.tif 000005
【図４】
2019086905.tif 000006
【図５】
2019086905.tif 000007
【図６】
2019086905.tif 000008
【図７】
2019086905.tif 000009
【図８】
2019086905.tif 000010
【図９】
2019086905.tif 000011
【図１０】
2019086905.tif 000012
【図１１】
2019086905.tif 000013
【図１２】
2019086905.tif 000014